(57)【要約】      （修正有）【課題】実際の発信者の情報を受信者に通知可能とする。【解決手段】呼制御装置は、ネットワークとの間で信号を入出力するインタフェース２０４と、発信者情報検索部２０２と、検索ＩＤ及び発信者に対応する発信者情報を、認証情報と対応させて記憶する発信者情報データベース２０３と、発信機から受信した受信機への呼接続信号に所定の文字列が含まれている場合には、認証情報の入力を促すガイダンスを発信機に送信し、発信機から受信した認証情報を発信者情報検索部に通知し、発信者情報検索部から通知された検索ＩＤを、受信機へ送信される呼接続信号に付加して送信する通信制御部２０１と、を備える。発信者情報検索部は、通知された認証情報に基づいて発信者情報データベースから検索ＩＤを検索し、検索された検索ＩＤを通信制御部に通知し、検索ＩＤに基づいて発信者情報データベースから発信者情報を検索して検索された発信者情報を受信機に送信する。【選択図】図３
2015231092.tif 000002
【特許請求の範囲】
【請求項１】
発信者が操作する発信機と、前記発信機の発呼先である受信機と、がネットワークを介して接続された呼制御装置であって、
前記ネットワークとの間で信号を入出力するインタフェースと、
発信者情報検索部と、
検索ＩＤ（Identification）及び前記発信者に対応する発信者情報を、認証情報と対応させて記憶する発信者情報データベースと、
前記発信機から受信した前記受信機への呼接続信号に所定の文字列が含まれている場合には、前記認証情報の入力を促すガイダンスを前記発信機に送信し、前記発信機から受信した前記認証情報を前記発信者情報検索部に通知し、前記発信者情報検索部から通知された前記検索ＩＤを、前記受信機へ送信される呼接続信号に付加して送信する通信制御部と、を備え、
前記発信者情報検索部は、
前記認証情報が通知された場合には、通知された前記認証情報に基づいて前記発信者情報データベースから前記検索ＩＤを検索し、検索された前記検索ＩＤを前記通信制御部に通知し、
前記検索ＩＤが通知された場合には、前記検索ＩＤに基づいて前記発信者情報データベースから前記発信者情報を検索して検索された前記発信者情報を前記受信機に送信する、
ことを特徴とする呼制御装置。
【請求項２】
前記通信制御部はＳＩＰ（session initiation protocol）に対応した呼制御機能を備え、
前記受信機へ送信される呼接続信号はＳＩＰ−ＩＮＶＩＴＥメッセージである、
請求項１に記載された呼制御装置。
【請求項３】
ネットワークを介して接続された呼制御装置からの呼接続信号を処理して発信機との間の通話を制御するとともに、前記呼接続信号に含まれる検索ＩＤを抽出する電話機能部と、
抽出された前記検索ＩＤを前記電話機能部から取得して前記検索ＩＤを前記呼制御装置に送信し、前記呼制御装置から前記検索ＩＤに対応する発信者情報を受信する発信者情報取得部と、
前記発信者情報取得部で受信された前記発信者情報を外部に出力する発信者情報出力部と、
前記ネットワークとの間で信号を入出力するインタフェースと、
を備える受信機。
【請求項４】
前記電話機能部は、ＳＩＰ（session initiation protocol）に対応した呼制御機能を備える、請求項３に記載された受信機。
【請求項５】
文字の入力に用いられる入力部と、
ネットワークとの間で信号を送受信するインタフェースと、
所定の文字列及び前記ネットワークに接続された受信機の電話番号を含む呼接続信号により前記受信機への発呼を行い、前記受信機との間の通話を制御し、認証情報の入力を促すガイダンスを前記呼制御装置から受信すると前記入力部から入力された前記認証情報を前記呼制御装置に送信する電話機能部と、
を備える発信機。
【請求項６】
前記入力部は、前記文字に対応するＰＢ（push button）信号を発生する、請求項５に記載された発信機。
【請求項７】
請求項１に記載された呼制御装置と、請求項３に記載された受信機と、請求項５に記載された発信機と、が、前記ネットワークを介して接続された、通信システム。
【請求項８】
請求項２に記載された呼制御装置と、請求項４に記載された受信機と、請求項６に記載された発信機と、が、前記ネットワークを介して接続され、
前記ネットワークは、前記受信機及び前記呼制御装置と、前記発信機と、の間のプロトコル変換を行うゲートウェイを備える、通信システム。
【請求項９】
発信者が操作する発信機と、前記発信機の発呼先である受信機と、がネットワークを介して接続された呼制御装置の制御方法であって、
前記発信機から受信した前記受信機への呼接続信号に所定の文字列が含まれている場合には、前記認証情報の入力を促すガイダンスを前記発信機に送信し、
検索ＩＤ（Identification）及び前記発信者に対応する発信者情報が前記認証情報と対応させて登録された発信者情報データベースから、前記発信機から受信した前記認証情報に基づいて前記検索ＩＤを検索し、
前記受信機へ送信される呼接続信号に前記検索ＩＤを付加して送信し、
前記受信機から受信した前記検索ＩＤに基づいて前記発信者情報データベースから前記発信者情報を検索して検索された前記発信者情報を前記受信機に送信する、
ことを特徴とする呼制御装置の制御方法。
【請求項１０】
ネットワークを介して接続された呼制御装置からの呼接続信号を処理して発信機との間で通話を行う受信機の制御方法であって、
前記呼接続信号に含まれる検索ＩＤを抽出し、
抽出された前記検索ＩＤを前記呼制御装置に送信し、
前記呼制御装置から前記検索ＩＤに対応する発信者情報を受信し、
受信された前記発信者情報を外部に出力する、
ことを特徴とする受信機の制御方法。
【発明の詳細な説明】
【技術分野】
【０００１】
本発明は、呼制御装置、受信機及びそれらの制御方法に関し、特に、発信者の情報を受信者に通知するための機能を備える呼制御装置、受信機及びそれらの制御方法に関する。
【背景技術】
【０００２】
電話の発信者に関する情報（以下、「発信者情報」という。）を受信者の端末で表示する方法として、発信者番号通知サービスが知られている。発信者番号通知サービスを用いることで、発信者の端末の電話番号を受信者の端末において表示することができる。さらに、発信者の端末の電話番号が受信者の端末において既知である場合は、受信者の端末に登録された情報に基づいて、受信者の端末に発信者情報を表示することも可能である。
【０００３】
しかしながら、発信者番号通知サービスを用いても、発信者の端末の電話番号に対応する情報が受信者の端末に登録されていない場合には、受信者の端末に発信者の端末の電話番号以外の情報を表示することはできない。
【０００４】
一方、特許文献１には、発信者情報を受信者の端末で表示することが可能なネットワークシステムの構成が記載されている。特許文献１に記載されたネットワークシステムでは、ＳＩＰ（Session Initiation Protocol、セッション制御プロトコル）に対応した端末が、発信者及び受信者で用いられる。ＳＩＰ−ＩＮＶＩＴＥメッセージを用いて発信者が受信者に発呼すると、ＳＩＰサーバは、発信者情報を検索して、発信者情報の所在を示すアドレスをＳＩＰ−ＩＮＶＩＴＥメッセージに付加して受信者に送信する。受信者は、ＳＩＰ−ＩＮＶＩＴＥメッセージから抽出されたアドレスを用いて、発信者情報にアクセスできる。
【先行技術文献】
【特許文献】
【０００５】
【特許文献１】特開２０１１−２５９２７７号公報（［００３４］−［００３６］段落）
【発明の概要】
【発明が解決しようとする課題】
【０００６】
発信者番号通知サービスによって表示される情報は、発信者の端末の電話番号である。すなわち、発信者情報が受信者の端末に登録されている場合でも、受信者の端末で表示される発信者情報は、発信者の端末の電話番号によって定まる。従って、同一の電話番号を持つ端末から発信される限り、実際の発信者が異なっていても受信者の端末に表示される発信者情報は同一である。このため、発信者番号通知サービスを用いても、受信者の端末に表示されている情報が実際の発信者の情報かどうかを、受信者は知ることができない。
【０００７】
特許文献１に記載されたネットワークシステムは、発信者情報が端末に登録されていなくても、受信者の端末に発信者情報を表示することを可能とする。しかしながら、特許文献１に記載されたネットワークシステムは、実際の発信者の情報を受信者の端末に通知するための構成を備えていない。従って、特許文献１に記載されたネットワークシステムにおいては、受信者は、端末に表示される発信者情報と実際の発信者が一致するか否かを知ることができない。
【０００８】
（発明の目的）
本発明の目的は、実際の発信者の情報を受信者に通知することを可能とするための技術を提供することにある。
【課題を解決するための手段】
【０００９】
本発明の呼制御装置は、発信者が操作する発信機と、前記発信機の発呼先である受信機と、がネットワークを介して接続された呼制御装置であって、前記ネットワークとの間で信号を入出力するインタフェースと、発信者情報検索部と、検索ＩＤ（Identification）及び前記発信者に対応する発信者情報を、認証情報と対応させて記憶する発信者情報データベースと、前記発信機から受信した前記受信機への呼接続信号に所定の文字列が含まれている場合には、前記認証情報の入力を促すガイダンスを前記発信機に送信し、前記発信機から受信した前記認証情報を前記発信者情報検索部に通知し、前記発信者情報検索部から通知された前記検索ＩＤを、前記受信機へ送信される呼接続信号に付加して送信する通信制御部と、を備え、前記発信者情報検索部は、前記認証情報が通知された場合には、通知された前記認証情報に基づいて前記発信者情報データベースから前記検索ＩＤを検索し、検索された前記検索ＩＤを前記通信制御部に通知し、前記検索ＩＤが通知された場合には、前記検索ＩＤに基づいて前記発信者情報データベースから前記発信者情報を検索して検索された前記発信者情報を前記受信機に送信する。
【００１０】
本発明の受信機は、ネットワークを介して接続された呼制御装置からの呼接続信号を処理して発信機との間の通話を制御するとともに、前記呼接続信号に含まれる検索ＩＤを抽出する電話機能部と、抽出された前記検索ＩＤを前記電話機能部から取得して前記検索ＩＤを前記呼制御装置に送信し、前記呼制御装置から前記検索ＩＤに対応する発信者情報を受信する発信者情報取得部と、前記発信者情報取得部で受信された前記発信者情報を外部に出力する発信者情報出力部と、前記ネットワークとの間で信号を入出力するインタフェースと、を備える。
【００１１】
本発明の発信機は、文字の入力に用いられる入力部と、ネットワークとの間で信号を送受信するインタフェースと、所定の文字列及び前記ネットワークに接続された受信機の電話番号を含む呼接続信号により前記受信機への発呼を行い、前記受信機との間の通話を制御し、認証情報の入力を促すガイダンスを前記呼制御装置から受信すると前記入力部から入力された前記認証情報を前記呼制御装置に送信する電話機能部と、を備える。
【００１２】
本発明の呼制御装置の制御方法は、発信者が操作する発信機と、前記発信機の発呼先である受信機と、がネットワークを介して接続された呼制御装置の制御方法であって、前記発信機から受信した前記受信機への呼接続信号に所定の文字列が含まれている場合には、前記認証情報の入力を促すガイダンスを前記発信機に送信し、検索ＩＤ（Identification）及び前記発信者に対応する発信者情報が前記認証情報と対応させて登録された発信者情報データベースから、前記発信機から受信した前記認証情報に基づいて前記検索ＩＤを検索し、前記受信機へ送信される呼接続信号に前記検索ＩＤを付加して送信し、前記受信機から受信した前記検索ＩＤに基づいて前記発信者情報データベースから前記発信者情報を検索して検索された前記発信者情報を前記受信機に送信する、ことを特徴とする。
【００１３】
本発明の受信機の制御方法は、ネットワークを介して接続された呼制御装置からの呼接続信号を処理して発信機との間で通話を行う受信機の制御方法であって、前記呼接続信号に含まれる検索ＩＤを抽出し、抽出された前記検索ＩＤを前記呼制御装置に送信し、前記呼制御装置から前記検索ＩＤに対応する発信者情報を受信し、受信された前記発信者情報を外部に出力する、ことを特徴とする法。
【発明の効果】
【００１４】
本発明の呼制御装置、受信機及びそれらの制御方法は、実際の発信者の情報を受信者に通知することを可能とする。
【図面の簡単な説明】
【００１５】
【図１】第１の実施形態の通信システムの構成を示すブロック図である。
【図２】発信機の構成を示すブロック図である。
【図３】ＳＩＰサーバの構成を示すブロック図である。
【図４】受信機の構成を示すブロック図である。
【図５】発信者情報データベースに登録されている発信者情報の例を示す図である。
【図６】第１の実施形態の通信システムの動作シーケンスの例を示す図である。
【発明を実施するための形態】
【００１６】
（第１の実施形態）
図１は、本発明の第１の実施形態の通信システム１０の構成を示すブロック図である。通信システム１０は、発信機１、ＳＩＰ（Session Initiation Protocol）サーバ２、ＩＰ（Internet Protocol）ネットワーク３、受信機４を備える。ＳＩＰは、ＩＰネットワークで広く用いられている、電話のための呼制御プロトコルである。
【００１７】
発信機１は、発信者が使用する、ＳＩＰに対応していない端末である。発信機１は、例えば、公衆電話網や移動電話網とのインタフェースを持つ固定電話あるいは移動電話である。発信機１は、ＰＢ（push button）信号（例えばトーンダイヤル信号）を発生するキーを備える。
【００１８】
受信機４は、受信者が使用する、ＳＩＰに対応した端末である。すなわち、受信機４は、ＳＩＰサーバ２との間でＳＩＰメッセージによる呼制御が可能な、移動電話あるいは固定電話である。
【００１９】
発信機１、ＳＩＰサーバ２及び受信機４は、ＩＰ（Internet Protocol）ネットワーク３を介してＳＩＰサーバ２及び発信機１と接続されている。ＩＰネットワーク３は、ＳＩＰによるトラフィックを伝送可能なＩＰパケット網であり、発信機１とＩＰネットワーク３との境界にＳＩＰゲートウェイ３０１を備える。
【００２０】
ＳＩＰゲートウェイ３０１は、ＳＩＰに対応しない電話機を、ＩＰネットワーク及びＳＩＰサーバに接続するための、プロトコル変換装置である。本実施形態では、発信機１は、ＳＩＰゲートウェイ３０１を介してＳＩＰサーバ２及び受信機４と接続される。ＳＩＰゲートウェイは、発信機１のキーの操作により発生したＰＢ信号が示す文字及び記号を、ＩＰパケットに変換してＳＩＰサーバに通知する。このような機能を備えるＳＩＰゲートウェイ３０１の一般的な構成及び機能はよく知られているので、ＳＩＰゲートウェイ３０１に関する詳細な説明は省略する。
【００２１】
図２は、発信機１の構成を示すブロック図である。発信機１は、電話機能部１０１、入力部１０２及びインタフェース１０４を備える。電話機能部１０１は、受信機４との間で通話を行うためのマイク、スピーカ等の音声インタフェース機能及び呼制御を含む発信機１の全体を制御する機能を備える。
【００２２】
入力部１０２は、文字及び記号に対応するＰＢ信号を発生させるキーである。入力部１０２は、０−９の数字及び「＊」（星印）、「＃」（ナンバーキー）に対応する複数のボタンを備える。入力部１０２は、受信機４の電話番号などの、文字列の入力に用いられる。発信者は、入力部１０２を操作して発生させたＰＢ信号によって、０−９の数字及び「＊」、「＃」記号をＩＰネットワーク３へ送出できる。なお、入力部１０２で入力可能な文字は、後述するＳＩＰゲートウェイ３０１及びＳＩＰサーバ２で処理可能な文字であれば、０−９の数字、「＊」記号及び「＃」記号に限定されない。
【００２３】
インタフェース１０４は、発信機１が接続された電話回線とのインタフェース回路である。ＳＩＰゲートウェイ３０１と発信機１との間の通信は、インタフェース１０４を介して行われる。ＳＩＰサーバ２及び受信機４がそれぞれ備えるインタフェースとインタフェース１０４との間で送受信される信号のプロトコルは、ＳＩＰゲートウェイ３０１において変換される。
【００２４】
発信機１は、さらに、ＣＰＵ（central processing unit、中央処理装置）１０５及びメモリ１０６を備えていてもよい。メモリ１０６は、例えば不揮発性の半導体メモリであるが、これには限定されない。メモリ１０６は、ＣＰＵ１０５において実行されるプログラムを記憶する。ＣＰＵ１０５は、メモリ１０６に記憶されたプログラムを実行することで、電話機能部１０１、入力部１０２及びインタフェース１０４の機能を含む、発信機１の全体の機能を実現してもよい。ＣＰＵ１０５及びメモリ１０６は、電話機能部１０１に含まれていてもよい。
【００２５】
発信者は、発信機１から受信機４への発呼の際に、受信機４の電話番号の前に特定の識別番号（以下、「特番」という。）を付加して発呼する。特番及び電話番号は、発信者が入力部１０２を操作することによって発信機１に入力される。特番は、記号及び数字の組合せからなる所定の文字列であり、例えば、「＊＊１１」である。通信システム１０で用いられる特番は、予めＳＩＰサーバ２に設定される。特番及び受信機４の電話番号を含む発呼信号は、ＳＩＰゲートウェイ３０１を介してＳＩＰサーバ２へ送信される。
【００２６】
電話機能部１０１は、受信機４への発呼後に認証情報の入力を促すガイダンスをＩＰネットワーク３から受信すると、受信したガイダンスを再生し、発信者に認証情報の入力を促す。認証情報は、発信機１の電話番号とは独立に定められた、発信者に対応する情報である。認証情報の例については後述する。電話機能部１０１は、ガイダンスへの応答として入力された認証情報を、ＳＩＰサーバ２に送信する。ガイダンスは、一般には音声信号として通知される。しかし、発信機１において再生可能であれば、ガイダンスは音声でなくともよい。
【００２７】
図３は、ＳＩＰサーバ２の構成を示すブロック図である。ＳＩＰサーバ２は、通信制御部２０１、発信者情報検索部２０２、発信者情報データベース２０３及びインタフェース２０４を備える。
【００２８】
通信制御部２０１は、ＳＩＰによる呼制御を行う制御回路である。発信者情報検索部２０２はデータベースの制御回路である。発信者情報検索部２０２は、入力された情報をキーとして、発信者情報データベース２０３に登録された、キーに対応する情報を発信者情報データベース２０３から取得する。発信者情報データベース２０３は、発信者の情報を認証情報及び検索ＩＤと対応づけて記憶する。発信者情報データベース２０３の構成例については後述する。
【００２９】
インタフェース２０４は、ＳＩＰサーバ２とＩＰネットワーク３との間のインタフェースである。ＳＩＰサーバ２と、ＩＰネットワーク３に接続された機器との通信は、インタフェース２０４を介して行われる。
【００３０】
ＳＩＰサーバ２は、さらに、ＣＰＵ２０５及びメモリ２０６を備えていてもよい。メモリ２０６は、例えば不揮発性の半導体メモリであるが、これには限定されない。メモリ２０６は、ＣＰＵ２０５において実行されるプログラムを記憶する。ＣＰＵ２０５は、メモリ２０６に記憶されたプログラムを実行することで、通信制御部２０１、発信者情報検索部２０２、発信者情報データベース２０３及びインタフェース２０４の機能を含む、ＳＩＰサーバ２の全体の機能を実現してもよい。
【００３１】
発信機１からの発呼信号は、ＳＩＰサーバ２の、通信制御部２０１で受信される。通信制御部２０１は、発呼信号に特番が付加されているかどうかを確認する。発呼信号に特番が付加されている場合には、通信制御部２０１は、認証情報の入力を促すためのガイダンスを発信機１へ送出する。
【００３２】
ＳＩＰサーバ２から送出されたガイダンスが発信機１で再生されると、発信者は、ガイダンスに従って、入力部１０２を用いて認証情報を入力する。認証情報はＰＢ信号として発信機１からＳＩＰゲートウェイ３０１へ送信される。ＰＢ信号はＳＩＰゲートウェイ３０１でＩＰパケットに変換されてＳＩＰサーバ２の通信制御部２０１へ送信される。通信制御部２０１は、受信した認証情報に対応する検索ＩＤの取得を発信者情報検索部２０２へ要求する。検索ＩＤの例については後述する。
【００３３】
発信者情報検索部２０２は、発信者情報データベース２０３に対して、認証情報に対応する検索ＩＤの検索を要求する。検索ＩＤは、認証情報に対応する、発信者情報を検索するための情報である。発信者情報検索部２０２は、発信者情報データベース２０３から検索ＩＤを取得すると、取得した検索ＩＤを、検索ＩＤの取得の要求に対する応答として通信制御部２０１へ通知する。
【００３４】
通信制御部２０１は、通知された検索ＩＤをＳＩＰ−ＩＮＶＩＴＥメッセージに付加して受信機４へ送信する。以上の手順により、検索ＩＤが付加されたＳＩＰ−ＩＮＶＩＴＥメッセージが、発呼信号としてＳＩＰサーバ２から受信機４に送信される。
【００３５】
図４は、受信機４の構成を示すブロック図である。受信機４は、電話機能部４０１、発信者情報取得部４０２、発信者情報表示部４０３及びインタフェース４０４を備える。電話機能部４０１は、発信機１との間で通話を行うためのマイク、スピーカ等の音声インタフェース機能及び呼制御を含む受信機４の全体を制御する機能を備える。
【００３６】
インタフェース４０４は、受信機４とＩＰネットワーク３との間のインタフェースである。ＩＰネットワーク３に接続された機器と受信機４との間の通信は、インタフェース４０４を介して行われる。
【００３７】
受信機４は、さらに、ＣＰＵ４０５及びメモリ４０６を備えていてもよい。メモリ４０６は、例えば不揮発性の半導体メモリであるが、これには限定されない。メモリ４０６は、ＣＰＵ４０５において実行されるプログラムを記憶する。ＣＰＵ４０５は、メモリ４０６に記憶されたプログラムを実行することで、電話機能部４０１、発信者情報取得部４０２、発信者情報表示部４０３及びインタフェース４０４の機能を含む、受信機４の全体の機能を実現してもよい。ＣＰＵ４０５及びメモリ４０６は、電話機能部４０１に含まれていてもよい。
【００３８】
電話機能部４０１は、検索ＩＤが付加されたＳＩＰ−ＩＮＶＩＴＥメッセージをＳＩＰサーバ２から受信すると、受信したＳＩＰ−ＩＮＶＩＴＥメッセージを処理して発信機１との通話を確立する。さらに、電話機能部４０１は、ＳＩＰ−ＩＮＶＩＴＥメッセージに検索ＩＤが含まれている場合には、検索ＩＤを発信者情報取得部４０２に通知する。
【００３９】
発信者情報取得部４０２は、電話機能部４０１から検索ＩＤを取得すると、ＳＩＰサーバ２にアクセスする。そして、発信者情報取得部４０２は、ＳＩＰサーバ２の発信者情報データベース２０３から発信者情報を取得し、発信者情報表示部４０３を用いて受信者に発信者情報を通知する。
【００４０】
図５は、発信者情報データベース２０３に登録されている発信者情報の例を示す図である。発信者情報データベース２０３には、予め発信者情報が登録されている。図３に示される発信者情報には、認証情報及びそれに対応する検索ＩＤ、氏名、電話番号、画像が含まれる。発信者情報データベース２０３に登録される電話番号は、発信機１の電話番号と同一である必要はない。１個の認証情報に対して、複数の電話番号が登録されていてもよい。また、発信者情報の内容は、図５の例には限定されない。例えば、発信者情報データベース２０３には、発信者のメールアドレスや、発信者に関連する情報が記載されたＷｅｂページのＵＲＬ（Uniform Resource Locator）が登録されていてもよい。
【００４１】
図６は、第１の実施形態の通信システム１０の動作シーケンスの例を示す図である。図６は、発信機１、ＳＩＰサーバ２及び受信機４の上述の動作をまとめて示す。なお、図６では、インタフェース１０４、２０４、４０４及びネットワーク３並びにＳＩＰゲートウェイ３０１の記載は省略されている。
【００４２】
発信者は、入力部１０２を用いて、特番及び受信機４の電話番号を入力する（ステップＳ１の「ダイヤル入力」）。例えば、特番が「＊＊１１」であり、受信機４の電話番号が「１２３４５６７８９１」である場合には、発信者は、入力部１０２を使用して「＊＊１１１２３４５６７８９１」という文字列（ダイヤル文字列）を入力する。
【００４３】
発信機１が受信機４に発呼すると、発信者が発信機１に入力したダイヤル文字列は、ＩＰネットワーク３を介して、発呼信号に含まれてＳＩＰサーバ２へ送信される（Ｓ２）。ＳＩＰサーバ２の通信制御部２０１は、ダイヤル文字列に特番が含まれているか否かを確認する（Ｓ３）。ダイヤル文字列に特番が含まれている場合には、通信制御部２０１は、発信者による認証情報の入力を要求するガイダンスを、発信機１へ送出する（Ｓ４）。ダイヤル番号に特番が含まれていない場合には、通信制御部２０１は、ガイダンスを送出することなく、ダイヤル文字列に含まれる電話番号に対する通常の発呼処理を行う。
【００４４】
発信者は、再生されたガイダンスに従い、入力部１０２を使用して認証情報を入力する（Ｓ５）。ここでは、認証情報として、発信者によって「１２３４５６７８」が発信機１に入力された場合について説明する。認証情報は、発信者情報データベース２０３において発信者情報と関連づけられて登録されている。
【００４５】
発信者によって入力された認証情報「１２３４５６７８」は、発信機１からＳＩＰサーバ２の通信制御部２０１へ送信される（Ｓ６）。通信制御部２０１は、認証情報を受信すると、発信者情報検索部２０２へ認証情報「１２３４５６７８」を通知する。発信者情報検索部２０２へ認証情報を通知することによって、通信制御部２０１は、発信者情報検索部２０２に検索ＩＤの取得を要求する（Ｓ７）。
【００４６】
発信者情報検索部２０２は、発信者情報データベース２０３から、認証情報「１２３４５６７８」に対応する発信者情報の検索ＩＤを取得する（Ｓ８）。発信者情報データベース２０３が図５に記載された構成を備える場合は、発信者情報検索部２０２は、認証情報「１２３４５６７８」に対応する検索ＩＤとして「１２３４ａｂｃｄ」を発信者情報データベース２０３から取得する。
【００４７】
発信者情報検索部２０２は、取得した検索ＩＤを通信制御部２０１に通知する（Ｓ９）。通信制御部２０１は、ＳＩＰ−ＩＮＶＩＴＥメッセージに、検索ＩＤを付加して送信する（Ｓ１０）。
【００４８】
受信機４の電話機能部４０１は、ＳＩＰサーバ２から受信したＳＩＰ−ＩＮＶＩＴＥメッセージに検索ＩＤが付加されている場合には、発信機１との通話を確立する（Ｓ１１）とともに、検索ＩＤを抽出して発信者情報取得部４０２に通知する（Ｓ１２）。
【００４９】
受信機４の発信者情報取得部４０２は、検索ＩＤ「１２３４ａｂｃｄ」に対応する発信者情報を取得するために、ＳＩＰサーバ２の発信者情報検索部２０２に発信者情報取得要求を送信する（Ｓ１３）。発信者情報取得要求には、検索ＩＤ「１２３４ａｂｃｄ」が含まれる。発信者情報取得部４０２は、ＳＩＰサーバ２へのアクセスに、ＨＴＴＰ（Hyper Text Transport Protocol）やＨＴＴＰＳ（HTTP over transport layer security）などの一般的な通信プロトコルを使用してもよい。発信者情報取得要求の送信先のアドレスには、ＳＩＰサーバ２のアドレスが用いられてもよい。あるいは、発信者情報取得要求の送信先のアドレスは、通信システム１０の既定値として受信機４に予め通知されていてもよいし、検索ＩＤに含まれていてもよい。
【００５０】
ＳＩＰサーバ２の発信者情報検索部２０２は、検索ＩＤ「１２３４ａｂｃｄ」に対応する発信者情報（図５においては、氏名、電話番号及び画像）を発信者情報データベース２０３から取得する（Ｓ１４）。発信者情報検索部２０２は、発信者情報取得結果として、検索ＩＤ「１２３４ａｂｃｄ」に対応する発信者情報を発信者情報取得部４０２に送信する（Ｓ１５）。
【００５１】
発信者情報取得部４０２は、受信した発信者情報を発信者情報表示部４０３へ通知し、発信者情報の表示を要求する（Ｓ１６）。発信者情報表示部４０３は、発信者情報を受信者に表示する（Ｓ１７）。
【００５２】
このようにして受信機４に表示される発信者情報は、発信者が入力した認証情報に対応する発信者情報である。すなわち、認証情報を知っている発信者のみが、発信機の電話番号に依存することなく、認証情報に対応する発信者情報を受信者に通知できる。
【００５３】
以上説明したように、第１の実施形態の通信システム１０によれば、実際の発信者の情報を受信者に通知できる。その理由は、発信者が入力した認証情報に対応する発信者情報が、受信機４に通知されるからである。また、第１の実施形態の通信システム１０は、発信者と受信者との双方でＳＩＰに対応した端末を用いる必要もない。その理由は、汎用的なＰＢ信号によって認証情報の入力が行われるため、発信機には特別なハードウエアやソフトウエアが必要とされないからである。すなわち、発信者は、ＰＢ信号を出力することが可能な一般的な電話（例えば固定電話、携帯電話あるいは公衆電話）を発信機１として用いることができる。
【００５４】
さらに、第１の実施形態の通信システム１０によれば、発信者の成りすましを防ぐことができる。その理由は、受信者に通知したい発信者情報に対応する認証情報を知っている発信者だけが、当該発信者情報を受信者に通知できるからである。
【００５５】
また、第１の実施形態の通信システム１０によれば、異なる電話番号を持つ複数の発信機を発信者が使い分ける場合や、発信者が使用する発信機の電話番号が変更された場合でも、発信者自身の発信者情報を受信者に通知できる。さらに、同一の電話番号が複数の発信者で共用される場合も、発信者ごとに異なる発信者情報を受信者に通知できる。その理由は、発信者情報は認証情報と関連づけられて発信者情報データベース２０３に記憶されており、発信者情報は発信機の電話番号に依存しないからである。
【００５６】
（第１の実施形態の第１の変形例）
第１の実施形態の図６のステップＳ１５では、ＳＩＰサーバ２の発信者情報検索部２０２は、検索ＩＤに対応する氏名や画像等の発信者情報を、発信者情報取得部４０２に送信する。しかし、発信者情報検索部２０２は、ステップＳ１５において、発信者情報が掲載されたＷｅｂページのＵＲＬを受信機４へ送信してもよい。この場合、受信機４の発信者情報取得部４０２は、ステップＳ１５で受信したＵＲＬで示されるＷｅｂページにアクセスし、当該Ｗｅｂページの内容を取得して発信者情報表示部４０３へ通知する。そして、発信者情報表示部４０３は、発信者情報取得部４０２から通知されたＷｅｂページを表示することで、発信者情報を受信者に通知する。
【００５７】
ＳＩＰサーバ２が、発信者情報が掲載されたＵＲＬのみを受信機４に通知することで、さらに、発信者情報データベースの記憶量の削減や、ＳＩＰサーバ２と受信機４との間のトラフィックの削減が可能という効果が得られる。
【００５８】
一方、発信者情報のデータ量が小さい場合は、図６のステップＳ１０において、ＳＩＰサーバ２は、検索ＩＤに代えて発信者情報そのものが付加されたＳＩＰ−ＩＮＶＩＴＥメッセージを受信機４に送信してもよい。ＳＩＰ−ＩＮＶＩＴＥメッセージに発信者情報が含まれていた場合には、電話機能部４０１は、発信者情報をＳＩＰ−ＩＮＶＩＴＥメッセージから抽出して発信者情報表示部４０３に通知し、発信者情報表示部４０３に発信者情報を表示させてもよい。この場合には、ステップＳ１３−Ｓ１５の手順が不要となるため、受信機４において迅速に発信者情報が表示されるとともに、検索ＩＤに基づく発信者情報の取得によるＩＰネットワーク３のトラフィックが削減されるという効果が得られる。
【００５９】
（第１の実施形態の第２の変形例）
図６において、ＳＩＰサーバ２から受信機４へのＳＩＰ−ＩＮＶＩＴＥの送信（Ｓ１０）以降、発信機１と受信機４との間の通話の確立手順（Ｓ１１）と、発信者情報データベース２０３からの発信者情報の取得手順（Ｓ１２−Ｓ１７）とは、独立に行われてもよい。ＳＩＰ−ＩＮＶＩＴＥの通知（Ｓ１０）により直ちに受信機４と発信機１との間の通話が確立される場合には、受信機４における発信者情報の取得手順の実行（Ｓ１２−Ｓ１７）による呼接続の遅延は生じない。
【００６０】
一方、受信機４は、ステップＳ１０におけるＳＩＰ−ＩＮＶＩＴＥの受信後、直ちには発信機１との間の通話を確立させず、ステップＳ１７において発信者情報の取得及び表示が完了した後、さらに、受信者の確認操作を待って、通話を確立させてもよい。受信機４での発信者情報の表示（Ｓ１７）後、受信者が確認操作で通話を拒否した場合は、発信機１から受信機４への発呼手順は中止される。この場合、受信者は発信者情報を確認してから発信者と通話できるので、不詳な発信者からの電話を拒否できる。
【００６１】
（第１の実施形態の第３の変形例）
発信者情報は、一般的には文字、図、画像等によって表示されるが、発信者情報は、音声、振動、ランプ（色、点滅）によって受信者に通知されてもよい。識別情報ごとに異なる音声の内容や振動の周期が発信者情報として受信機４に通知されることにより、受信者は、視覚によらず発信者を識別できる。いずれの方法により通知されるかは、受信機４の機能及び受信者による受信機４への設定により定められてもよい。例えば、発信者情報が受信機４で表示あるいは再生できる形式のデータであり、受信者が発信者情報の表示あるいは再生を許可した形態に一致する場合のみ、受信機４において発信者情報が表示あるいは再生されるように、受信機４が設定されてもよい。
【００６２】
以上説明した、第１の実施形態の各変形例においても、発信機１がＰＢ信号を出力可能な入力部を備えていれば、発信機１が携帯電話や公衆電話であっても、発信機１の電話プロトコルの種別を問わず、実際の発信者の情報を受信者に通知できる。
【００６３】
そして、第１の実施形態の各変形例においても、発信者の成りすましを防ぐことができる。また、第１の実施形態の各変形例においても、異なる電話番号を持つ複数の発信機を発信者が使用する場合や、発信者が使用する発信機の電話番号が変更された場合でも、発信者自身の発信者情報を受信者に通知できる。さらに、第１の実施形態の各変形例においても、同一の電話番号が複数の発信者で共用される場合も、発信者ごとに異なる発信者情報を受信者に通知することができる。
【００６４】
（第２の実施形態）
第１の実施形態の図３で説明したＳＩＰサーバ２は、以下の第２の実施形態の呼制御装置として構成された場合も、実際の発信者の情報を受信者に通知するという効果を奏する。すなわち、第２の実施形態の呼制御装置には、発信者が操作する発信機１と、発信機の発呼先である受信機４と、がネットワーク３を介して接続されている。そして、第２の実施形態の呼制御装置は、発信者情報検索部２０２と、発信者情報データベース２０３と、通信制御部２０１と、インタフェース２０４と、を備える。
【００６５】
発信者情報データベース２０３は、検索ＩＤ（Identification）と、発信者に対応する発信者情報とを、認証情報と対応させて記憶する。
【００６６】
通信制御部２０１は、発信機１から受信した受信機４への呼接続信号に所定の文字列（すなわち、特番）が含まれている場合には、認証情報の入力を促すガイダンスを発信機１に送信する。通信制御部２０１は、発信機１から受信した認証情報を発信者情報検索部２０２に通知し、発信者情報検索部２０２から通知された検索ＩＤを、受信機４へ送信される呼接続信号に付加して送信する。
【００６７】
発信者情報検索部２０２は、認証情報が通知された場合には、通知された認証情報に基づいて発信者情報データベース２０３から検索ＩＤを検索し、検索された検索ＩＤを通信制御部２０１に通知する。また、発信者情報検索部２０２は、検索ＩＤが通知された場合には、検索ＩＤに基づいて発信者情報データベース２０３から発信者情報を検索して検索された発信者情報を受信機４に通知する。
【００６８】
インタフェース２０４は、ネットワーク３と信号を入出力する送受信回路である。
【００６９】
このような構成を備える呼制御装置は、発信者によって入力された認証情報に対応した検索ＩＤを受信機４に通知し、受信機４から検索ＩＤが通知された場合には検索ＩＤに対応する発信者情報を受信機４に通知する。従って、呼制御装置は、入力された認証情報に対応する、実際の発信者の情報を受信者に通知することを可能とする。
【００７０】
（第３の実施形態）
第１の実施形態の図４で説明した受信機４は、以下の第３の実施形態の受信機として構成された場合も、実際の発信者の情報を受信者に通知することを可能とする。すなわち、第３の実施形態の受信機は、電話機能部４０１と、発信者情報取得部４０２と、発信者情報出力部４０３と、インタフェース４０４と、を備える。電話機能部４０１は、ネットワーク３を介して接続された呼制御装置（第２の実施形態の呼制御装置）からの呼接続信号を処理して発信機との間の通話を制御するとともに、呼接続信号に含まれる検索ＩＤを抽出する。
【００７１】
発信者情報取得部４０２は、抽出された検索ＩＤを電話機能部４０１から取得して、検索ＩＤを呼制御装置に通知し、呼制御装置から検索ＩＤに対応する発信者情報を取得する。
【００７２】
発信者情報出力部４０３は、発信者情報取得部４０２で取得された発信者情報を、文字、画像、音声、振動、ランプの色、ランプの点滅などによって、受信機４の外部に出力する。インタフェース４０４は、ネットワーク３と信号を入出力する、送受信回路である。
【００７３】
このような構成を備える受信機は、呼制御装置から発信者の認証情報に対応した検索ＩＤが通知された場合には、当該検索ＩＤに対応する発信者情報を呼制御装置から取得する。従って、第３の実施形態の受信機は、発信者の認証情報に対応する、実際の発信者の情報を呼制御装置から取得して受信者に通知することを可能とする。
【００７４】
（第４の実施形態）
第１の実施形態の図２で説明した発信機１は、以下の第４の実施形態の発信機として構成された場合も、実際の発信者の情報を受信者に通知することを可能とする。すなわち、第４の実施形態の発信機は、電話機能部１０１と、入力部１０２と、インタフェース１０４と、を備える。
【００７５】
入力部１０２は、ネットワークを介して接続された受信機４の電話番号、及び、所定の文字列（すなわち、特番）の入力に用いられる。インタフェース１０４は、ネットワーク３と信号を送受信する、送受信回路である。電話機能部１０１は、受信機４の電話番号及び入力部１０２で入力された文字列を含む呼接続信号により受信機４への発呼を行い、発信機１と受信機４との間の通話を制御する。さらに、電話機能部１０１は、受信機４への発呼後に認証情報の入力を促すガイダンスを呼制御装置から受信すると当該ガイダンスを再生し、入力部１０２から入力された認証情報を呼制御装置に送信する。
【００７６】
このような構成を備える発信機は、呼制御装置から認証情報の入力を促すガイダンスを呼制御装置から受信すると、発信者によって入力部１０２から入力された認証情報を呼制御装置に送信する。その結果、呼制御装置は、発信者が入力した認証情報に基づいた発信者情報を受信者に通知することができる。従って、第４の実施形態の発信機は、認証情報に対応する、実際の発信者の情報を受信者に通知することを可能とする。
【００７７】
以上、実施形態を参照して本願発明を説明したが、本願発明は上記の実施形態に限定されない。本願発明の構成や詳細には、本願発明のスコープ内で当業者が理解し得る様々な変更をすることができる。
【００７８】
なお、本発明の実施形態は以下の付記のようにも記載されうるが、これらには限定されない。
【００７９】
（付記１）
発信者が操作する発信機と、前記発信機の発呼先である受信機と、がネットワークを介して接続された呼制御装置であって、
前記ネットワークとの間で信号を入出力するインタフェースと、
発信者情報検索部と、
検索ＩＤ（Identification）及び前記発信者に対応する発信者情報を、認証情報と対応させて記憶する発信者情報データベースと、
前記発信機から受信した前記受信機への呼接続信号に所定の文字列が含まれている場合には、前記認証情報の入力を促すガイダンスを前記発信機に送信し、前記発信機から受信した前記認証情報を前記発信者情報検索部に通知し、前記発信者情報検索部から通知された前記検索ＩＤを、前記受信機へ送信される呼接続信号に付加して送信する通信制御部と、を備え、
前記発信者情報検索部は、
前記認証情報が通知された場合には、通知された前記認証情報に基づいて前記発信者情報データベースから前記検索ＩＤを検索し、検索された前記検索ＩＤを前記通信制御部に通知し、
前記検索ＩＤが通知された場合には、前記検索ＩＤに基づいて前記発信者情報データベースから前記発信者情報を検索し、検索された前記発信者情報を前記受信機に送信する、
ことを特徴とする呼制御装置。
【００８０】
（付記２）
前記検索ＩＤは前記認証情報の所在を示すＵＲＬ（Uniform Resource Locator）を含む、付記１に記載された呼制御装置。
【００８１】
（付記３）
前記通信制御部はＳＩＰ（session initiation protocol）に対応した呼制御機能を備え、
前記受信機へ送信される呼接続信号はＳＩＰ−ＩＮＶＩＴＥメッセージである、
付記１又は２に記載された呼制御装置。
【００８２】
（付記４）
ネットワークを介して接続された呼制御装置からの呼接続信号を処理して発信機との間の通話を制御するとともに、前記呼接続信号に含まれる検索ＩＤを抽出する電話機能部と、
抽出された前記検索ＩＤを前記電話機能部から取得して前記検索ＩＤを前記呼制御装置に送信し、前記呼制御装置から前記検索ＩＤに対応する発信者情報を受信する発信者情報取得部と、
前記発信者情報取得部で受信された前記発信者情報を外部に出力する発信者情報出力部と、
前記ネットワークとの間で信号を入出力するインタフェースと、
を備える受信機。
【００８３】
（付記５）
前記電話機能部は、前記発信者情報が前記発信者情報出力部から出力された後、
前記発信機との呼接続を拒否する旨の指示が入力された場合は前記発信機との呼接続処理を行わず、
前記発信機との呼接続を拒否する以外の指示が入力された場合は前記発信機との呼接続処理を行う、付記４に記載された受信機。
【００８４】
（付記６）
前記発信者情報出力部は、文字列の表示、画像の表示、音声の発生、表示灯の点滅、振動の発生のうち少なくとも一つによって前記発信者情報を外部に出力する、付記５に記載された受信機。
【００８５】
（付記７）
前記電話機能部は、ＳＩＰ（session initiation protocol）に対応した呼制御機能を備える、付記５又は６に記載された受信機。
【００８６】
（付記８）
文字の入力に用いられる入力部と、
ネットワークとの間で信号を送受信するインタフェースと、
所定の文字列及び前記電話番号を含む呼接続信号により前記受信機への発呼を行い、前記受信機との間の通話を制御し、認証情報の入力を促すガイダンスを前記呼制御装置から受信すると前記入力部から入力された前記認証情報を前記呼制御装置に送信する電話機能部と、
を備える発信機。
【００８７】
（付記９）
前記入力部は、前記文字に対応するＰＢ（push button）信号を発生する、付記８に記載された発信機。
【００８８】
（付記１０）
付記１又は２に記載された呼制御装置と、付記４乃至６のいずれかに記載された受信機と、付記８に記載された発信機と、が、前記ネットワークを介して接続された、通信システム。
【００８９】
（付記１１）
付記３に記載された呼制御装置と、付記７に記載された受信機と、付記９に記載された発信機と、が前記ネットワークを介して接続され、
前記ネットワークは、前記受信機及び前記呼制御装置と、前記発信機と、の間のプロトコル変換を行うゲートウェイを備える、通信システム。
【００９０】
（付記１２）
発信者が操作する発信機と、前記発信機の発呼先である受信機と、がネットワークを介して接続された呼制御装置の制御方法であって、
前記発信機から受信した前記受信機への呼接続信号に所定の文字列が含まれている場合には、認証情報の入力を促すガイダンスを前記発信機に送信し、
検索ＩＤ（Identification）及び前記発信者に対応する発信者情報が前記認証情報と対応させて登録された発信者情報データベースから、前記発信機から受信した前記認証情報に基づいて前記検索ＩＤを検索し、
前記受信機へ送信される呼接続信号に前記検索ＩＤを付加して送信し、
前記受信機から受信した前記検索ＩＤに基づいて前記発信者情報データベースから前記発信者情報を検索して検索された前記発信者情報を前記受信機に送信する、
ことを特徴とする呼制御装置の制御方法。
【００９１】
（付記１３）
ネットワークを介して接続された呼制御装置からの呼接続信号を処理して発信機との間で通話を行う受信機の制御方法であって、
前記呼接続信号に含まれる検索ＩＤを抽出し、
抽出された前記検索ＩＤを前記呼制御装置に送信し、
前記呼制御装置から前記検索ＩＤに対応する発信者情報を受信し、
受信された前記発信者情報を外部に出力する、
ことを特徴とする受信機の制御方法。
【００９２】
（付記１４）
ネットワークを介して接続された受信機との間で通話を行う発信機の制御方法であって、
所定の文字列及び前記受信機の電話番号を含む呼接続信号により前記受信機への発呼を行い、
認証情報の入力を促すガイダンスを前記呼制御装置から受信すると、前記認証情報を前記呼制御装置に送信する、
ことを特徴とする発信機の制御方法。
【００９３】
（付記１５）
発信者が操作する発信機と、前記発信機の発呼先である受信機と、がネットワークを介して接続された呼制御装置のコンピュータに、
前記発信機から受信した前記受信機への呼接続信号に所定の文字列が含まれている場合には、認証情報の入力を促すガイダンスを前記発信機に送信する手順、
検索ＩＤ（Identification）及び前記発信者に対応する発信者情報が前記認証情報と対応させて登録された発信者情報データベースから、前記発信機から受信した前記認証情報に基づいて前記検索ＩＤを検索する手順、
前記受信機へ送信される呼接続信号に前記検索ＩＤを付加して送信する手順、
前記受信機から受信した前記検索ＩＤに基づいて前記発信者情報データベースから前記発信者情報を検索して検索された前記発信者情報を前記受信機に送信する手順、
を実行させるための呼制御装置の制御プログラム。
【００９４】
（付記１６）
ネットワークを介して接続された呼制御装置からの呼接続信号を処理して発信機との間で通話を行う受信機のコンピュータに、
前記呼接続信号に含まれる検索ＩＤを抽出する手順、
抽出された前記検索ＩＤを前記呼制御装置に送信する手順、
前記呼制御装置から前記検索ＩＤに対応する発信者情報を受信する手順、
取得された前記発信者情報を外部に出力する手順、
を実行させるための受信機の制御プログラム。
【００９５】
（付記１７）
ネットワークを介して接続された受信機との間で通話を行う発信機のコンピュータに、
所定の文字列及び前記受信機の電話番号を含む呼接続信号により前記受信機への発呼を行う手順、
前記受信機への発呼後に認証情報の入力を促すガイダンスを前記呼制御装置から受信すると、前記認証情報を前記呼制御装置に送信する手順、
を実行させるための発信機の制御プログラム。
【符号の説明】
【００９６】
１    発信機
１０    通信システム
１０１、４０１    電話機能部
１０２    入力部
１０４、２０４、４０４    インタフェース
１０５、２０５、４０５    ＣＰＵ
１０６、２０６、４０６    メモリ
２    ＳＩＰサーバ
２０１    通信制御部
２０２    発信者情報検索部
２０３    発信者情報データベース
３    ＩＰネットワーク
３０１    ＳＩＰゲートウェイ
４    受信機
４０２    発信者情報取得部
４０３    発信者情報表示部
【図１】
2015231092.tif 000003
【図２】
2015231092.tif 000004
【図３】
2015231092.tif 000005
【図４】
2015231092.tif 000006
【図５】
2015231092.tif 000007
【図６】
2015231092.tif 000008